(57)【要約】【課題】筐体に設けられたペン収納部に対するペンの収納状態を適切に判定し、端末装置の状態を設定することを課題とする。【解決手段】端末装置は、ペンと、当該ペンを収納するペン収納部を備える筐体とを有する端末装置であって、前記ペンの軸方向に沿った異なる位置に配置され、それぞれ異なる情報が格納された無線タグと、前記ペン収納部の長手方向に沿って異なる位置に配置され、それぞれ、前記無線タグと通信可能に設けられた複数の無線アンテナと、前記複数の無線アンテナの前記無線タグとの通信結果を判定し、当該判定結果に基づいて、前記端末装置の状態を設定する制御部と、を備える。【選択図】図１
2018112844.tif 000002
【特許請求の範囲】
【請求項１】
ペンと、当該ペンを収納するペン収納部を備える筐体とを有する端末装置であって、
前記ペンの軸方向に沿った異なる位置に配置され、それぞれ異なる情報が格納された無線タグと、
前記ペン収納部の長手方向に沿って異なる位置に配置され、それぞれ、前記無線タグと通信可能に設けられた複数の無線アンテナと、
前記複数の無線アンテナの前記無線タグとの通信結果を判定し、当該判定結果に基づいて、前記端末装置の状態を設定する制御部と、
を、備える端末装置。
【請求項２】
前記無線タグは、それぞれ、ＲＦＩＤタグであり、前記無線アンテナは、それぞれＲＦＩＤリーダである請求項１に記載の端末装置。
【請求項３】
前記ペンは、前記無線タグの間のシールド部材を備える請求項１又は２に記載の端末装置。
【請求項４】
前記ペンは、先端側に第１無線タグを備え、基端側に第２無線タグを備える請求項１乃至３のいずれか１項に記載の端末装置。
【請求項５】
ペンと、当該ペンを収納するペン収納部を備える筐体とを有する端末装置の状態を設定するプログラムであって、
前記ペン収納部の長手方向に沿って設けられた複数の無線アンテナが、前記ペンの軸方向に沿って設けられた複数の無線タグのうち、いずれの無線タグと通信しているのかの通信状態を判定し、
前記通信状態の判定に応じて、前記ペンの前記ペン収納部への収納状態を判定し、
前記収納状態の判定に応じて、前記端末装置の状態を設定する、
処理をコンピュータに実行させる端末装置の状態設定プログラム。
【発明の詳細な説明】
【技術分野】
【０００１】
本明細書開示の発明は、端末装置及び端末装置の状態設定プログラムに関する。
【背景技術】
【０００２】
従来、端末装置の操作にペンを用い、そのペンを端末装置の筐体が備えるペン収納部に収納することがある。このような端末装置では、例えば、ペン側に磁石を設け、端末の筐体側に磁気センサーを装備した提案が知られている（特許文献１参照）。また、ペンの収納部内に突出した押しボタンを装備し、この押しボタンの押下状態に基づいて、ペンの挿入状態を検出する提案が知られている（特許文献２参照）。
【先行技術文献】
【特許文献】
【０００３】
【特許文献１】特開２０１１−１７０５２１号公報
【特許文献２】国際公開ＷＯ２００９／０５４４７８号公報
【発明の概要】
【発明が解決しようとする課題】
【０００４】
しかしながら、特許文献１は、ペンの状態の検出に磁石と磁気センサーを用いているため、例えば、ペンが逆向きに搭載された場合や、本来の搭載状態と異なる状態となった場合であっても、磁気センサーが磁石を検出できる。この結果、ペンの搭載状態の誤検出がされる可能性がある。また、特許文献２は、例えば、ペン収納部内に異物が混入し、押しボタンを押下している場合には、誤検出がされる。さらに、特許文献２では、ペン収納部に対し、ペンがいわゆる半挿し状態となっている場合に、そのペンの状態を適切に検出することができないことが想定される。このため、ペンの収納状態に基づいて端末装置の状態を設定しようとすると、所望の設定とならない場合が生じうる。
【０００５】
１つの側面では、本明細書開示の端末装置及び端末装置の状態設定プログラムは、筐体に設けられたペン収納部に対するペンの収納状態を適切に判定し、端末装置の状態を設定することを課題とする。
【課題を解決するための手段】
【０００６】
本明細書開示の端末装置は、ペンと、当該ペンを収納するペン収納部を備える筐体とを有する端末装置であって、前記ペンの軸方向に沿った異なる位置に配置され、それぞれ異なる情報が格納された無線タグと、前記ペン収納部の長手方向に沿って異なる位置に配置され、それぞれ、前記無線タグと通信可能に設けられた複数の無線アンテナと、前記複数の無線アンテナの前記無線タグとの通信結果を判定し、当該判定結果に基づいて、前記端末装置の状態を設定する制御部と、を、備える。
【０００７】
本明細書開示の端末装置の状態設定プログラムは、ペンと、当該ペンを収納するペン収納部を備える筐体とを有する端末装置の状態を設定するプログラムであって、前記ペン収納部の長手方向に沿って設けられた複数の無線アンテナが、前記ペンの軸方向に沿って設けられた複数の無線タグのうち、いずれの無線タグと通信しているのかの通信状態を判定し、前記通信状態の判定に応じて、前記ペンの前記ペン収納部への収納状態を判定し、前記収納状態の判定に応じて、前記端末装置の状態を設定する、処理をコンピュータに実行させる。
【発明の効果】
【０００８】
本明細書開示の端末装置及び端末装置の状態設定プログラムによれば、筐体に設けられたペン収納部に対するペンの収納状態を適切に判定し、端末装置の状態を設定することができる。
【図面の簡単な説明】
【０００９】
【図１】図１は第１実施形態の端末装置の概略構成を模式的に示す説明図である。
【図２】図２は第１実施形態の端末装置の機能ブロック図である。
【図３】図３（Ａ）は第１実施形態のペンの概略構成を模式的に示す説明図であり、図３（Ｂ）は図３（Ａ）におけるＡ−Ａ線断面図である。
【図４】図４は端末側アンテナとＲＦＩＤが通信する様子を模式的に示す説明図である。
【図５】図５は第１実施形態の端末装置の制御の一例を示すフローチャートである。
【図６】図６は第１実施形態の端末装置における表示動作マトリクスの一例を示すテーブルである。
【図７】図７（Ａ）は第２実施形態のペンの概略構成を模式的に示す説明図であり、図７（Ｂ）は図７（Ａ）におけるＢ−Ｂ線断面図である。
【図８】図８（Ａ）は第３実施形態のペンの概略構成を模式的に示す説明図であり、図８（Ｂ）は図８（Ａ）におけるＣ−Ｃ線断面図である。
【図９】図９（Ａ）は第３実施形態において端末側アンテナとＲＦＩＤが通信する様子を模式的に示す説明図であり、図９（Ｂ）はシールド部材の効果を模式的に示す説明図である。
【図１０】図１０（Ａ）は第４実施形態のペンの概略構成を模式的に示す説明図であり、図１０（Ｂ）は図１０（Ａ）におけるＤ−Ｄ線断面図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１１】
（第１実施形態）
図１〜図６を参照して、第１実施形態の端末装置１について説明する。図１は第１実施形態の端末装置の概略構成を模式的に示す説明図である。図２は第１実施形態の端末装置の機能ブロック図である。図３（Ａ）は第１実施形態のペンの概略構成を模式的に示す説明図であり、図３（Ｂ）は図３（Ａ）におけるＡ−Ａ線断面図である。図４は端末側アンテナとＲＦＩＤが通信する様子を模式的に示す説明図である。図５は第１実施形態の端末装置の制御の一例を示すフローチャートである。図６は第１実施形態の端末装置における表示動作マトリクスの一例を示すテーブルである。
【００１２】
第１実施形態の端末装置１は、いわゆるタブレットＰＣ（Personal Computer）と称される小型の通信端末であるが、これに限定されず、他の電子装置としてもよい。図１を参照すると、端末装置１は、筐体２とペン２０を備える。筐体２の内部には、制御回路４が形成された基板３が設置されている。筐体２には、表示部５が設けられている。表示部５は、ケーブル５ａを介して基板３と電気的に接続されている。筐体２には、表示部５と重なる領域にタッチ操作が可能なタッチ操作部６が設けられている。タッチ操作部６は、ケーブル６ａを介して基板３と電気的に接続されている。なお、表示部５とタッチ操作部６とは、連動しており、表示部５の表示モードの変更に伴って、タッチ操作部６の感度や作業領域等が変更される。
【００１３】
筐体２には、第１端末側アンテナ７と第２端末側アンテナ８が設けられている。筐体２には、長手方向の縁部に沿ってペン収納部９が設けられている。第１端末側アンテナ７は、ペン収納部９の入口開口部９ａに近い側に設置されており、第２端末側アンテナ８は、ペン収納部９の奥側に近い側に設置されている。すなわち、第１端末側アンテナ７と第２端末側アンテナ８は、ペン収納部９の長手方向、すなわち、ペン２０の収納方向に沿って、異なる位置に配置されている。第１端末側アンテナ７は、ケーブル７ａを介して、基板３と電気的に接続されている。第２端末側アンテナ８は、ケーブル８ａを介して、基板３と電気的に接続されている。第１端末側アンテナ７と第２端末側アンテナ８は、いずれも、無線アンテナの一例であり、具体的には、ＲＦＩＤリーダである。本実施形態では、第１端末側アンテナ７と第２端末側アンテナ８は、いずれも、シート状のループアンテナとしている。なお、本実施形態のペン収納部９は、筒状となっているが、皿状としてもよい。皿状のペン収納部とした場合、ペン２０は、ペン収納部に載置する状態となる。
【００１４】
図２を参照しつつ、端末装置１につき、さらに詳細に説明する。端末装置１は、第１端末側アンテナ７と第２端末側アンテナ８とを切り替えるアンテナ切り替え部１１と備える。アンテナ切り替え部１１は、無線制御部１２と電気的に接続されている。無線制御部１２は、ＣＰＵ１３と電気的に接続されている。ＣＰＵ１３が、主として端末装置１の制御部として機能する。ＣＰＵ１３には、記憶部１４が電気的に接続されている。また、ＣＰＵ１３には、表示制御部１５を介して表示部５が電気的に接続されており、タッチ操作制御部１６を介してタッチ操作部６が電気的に接続されている。ＣＰＵ１３は、基板３に実装されており、制御回路４の一部を構成している。制御回路４には、ＲＯＭ（Read Only Memory）、ＲＡＭ（Random Access Memory）が含まれ、これらの素子が協働することで、アンテナ切り替え部１１、無線制御部１２、表示制御部１５及びタッチ操作制御部１６の機能が実現されている。記憶部１４は、ＳＳＤ（Solid State Drive）であり、各種プログラムが格納されている。このプログラムには、後に詳説する端末装置１の状態設定プログラムも含まれる。また、記憶部１４には、後に詳説する図６に示すようなテーブルも格納されている。
【００１５】
アンテナ切り替え部１１は、第１端末側アンテナ７と第２端末側アンテナ８のうち、いずれを通信状態とするかを選択することができる。なお、本実施形態では、アンテナ切り替え部１１を介して、無線制御部１２と第１端末側アンテナ７及び第２端末側アンテナ８が接続されているが、第１端末側アンテナ７と第２端末側アンテナ８のそれぞれに無線制御を装備し、アンテナ切り替え部１１を廃止するようにしてもよい。
【００１６】
つぎに、ペン２０について説明する。ペン２０は、入力デバイスの一つであり、いわゆるスタイラスペンであって、タッチ操作部６に触れることで、端末装置１に対して各種コマンドを発することができる。ペン２０は、先端部２０ａと基端部２０ｂとが区別できるようになっている。ペン２０は、ペン収納部９に収納するときに、先端部２０ａと基端部２０ｂのいずれを奥側にすることもできる。ペン２０の挿入方向を変えることで、端末装置１を異なる状態に設定することができる。
【００１７】
ペン２０は、第１無線タグ２１と第２無線タグ２２を備える。第１無線タグ２１と第２無線タグ２２は、図１に示すように、ペン２０の軸方向に沿った異なる位置に配置されている。すなわち、ペン２０の先端部２０ａ側に第１無線タグ２１が配置され、基端部２０ｂ側に第２無線タグ２２が配置されている。第１無線タグ２１は、ＲＦＩＤタグであり、第１タグ２１ａと第１ペン側アンテナ２１ｂを含む。第２無線タグ２２は、ＲＦＩＤタグであり、第２タグ２２ａと第２ペン側アンテナ２２ｂを含む。第１無線タグ２１と第２無線タグ２２は、いずれも、第１端末側アンテナ７及び第２端末側アンテナ８と無線通信することができる。第１タグ２１ａと第２タグ２２ａには、異なる情報が格納されており、第１端末側アンテナ７及び第２端末側アンテナ８は、いずれのタグと通信したかを区別することができる。
【００１８】
第１無線タグ２１と第２無線タグ２２との間隔は、第１端末側アンテナ７と第２端末側アンテナ８との間隔に対応させて設定されている。また、ペン２０の形状及び第１無線タグ２１と第２無線タグ２２の配置は、ペン２０をペン収納部９にどちらの向きに挿入した場合であっても第１端末側アンテナ７と第２端末側アンテナ８の位置に一致するように設定されている。
【００１９】
図３（Ａ）、図３（Ｂ）及び図４を参照しつつ、ペン２０について、より詳細に説明する。ペン２０は、円筒状の外ケース２０１と、この外ケース２０１内に収納された円筒状の内ケース２０２を備える。図３（Ｂ）を参照すると、第１タグ２１ａは、内ケース２０２の内部に設置されている。また、第１ペン側アンテナ２１ｂは、外ケース２０１と内ケース２０２との間に形成された空間内に設置されている。第２無線タグ２２に含まれる第２タグ２２ａと第２ペン側アンテナ２２ｂについても同様である。第１ペン側アンテナ２１ｂと第２ペン側アンテナ２２ｂはいずれもシート状のループアンテナである。第１ペン側アンテナ２１ｂと第２ペン側アンテナ２２ｂの背面側に存在する周囲の金属の影響を緩和するため、第１ペン側アンテナ２１ｂと第２ペン側アンテナ２２ｂの背面側には磁性体シートが設けられている。
【００２０】
図４を参照すると、ペン収納部９にペン２０が収納された状態で、第１端末側アンテナ７や第２端末側アンテナ８に通電されると、磁束ｍがペン２０に対して、概ね垂直方向に通過するようになる。このような状態とすることで、混線を抑制することができる。すなわち、図４に示すような状況において、第１端末側アンテナ７が発生させる磁束ｍが第１無線タグ２１に影響を及ぼさず、第２端末側アンテナ８が発生させる磁束ｍが第２無線タグ２２に影響を及ぼさないようにすることができる。
【００２１】
つぎに、図５及び図６を参照して、端末装置１の制御の一例について説明する。端末装置１の制御は、記憶部１４に格納された状態設定プログラムをＣＰＵ１３が実行することにより、実現される。この状態設定プログラムを実行するにあたり、図６に示すテーブルが参照される。端末装置１は、このテーブルを参照することで、表示部５の表示状態を、第１タッチ入力モード、第２タッチ入力モード、ペン入力モードに切り替えることができる。また、ペン２０がいわゆる半挿し状態のときは、半挿しアラート表示をすることができる。ここで、第１タッチ入力モードは、指での操作を想定して、表示部に大きめのアイコンを表示させるモードとしている。端末装置１を第１タッチモードとするためには、ペン２０を、その先端部２０ａがペン収納部９の奥側に位置するようにペン２０を収納する。また、第２タッチ入力モードは、手袋を装着したままでの入力を可能とするモードとしている。第２タッチ入力モードは、第１タッチ入力モードと比較してタッチセンサーの感度の閾値を変えることで、手袋を装着したままでの操作を許容している。端末装置１を第２タッチモードとするためには、ペン２０を、その基端部２０ｂがペン収納部９の奥側に位置するようにペン２０を収納する。ペン入力モードは、ペン２０を用いた入力を可能とするモードである。ペン先による指示が可能となるため、アイコンを小さく表示させる。端末装置１は、ペン２０がペン収納部９から完全に抜き取られたと判定したときにペン入力モードとなる。半挿しアラートは、ペン２０がペン収納部９に適切に差し込まれていないことを表示し、使用者に注意喚起する。
【００２２】
なお、これらのモードは、一例であり、他のモードへの切り替えができるようにしてもよい。また、本実施形態では、表示部５の表示状態の設定を状態設定の対象としているが、他の設定を対象とすることもできる。例えば、電源のＯＮ、ＯＦＦの設定や、電源の休止モードへの移行設定を対象としてもよい。
【００２３】
まず、ステップＳ１では、ＣＰＵ１３が、表示部５がＯＮ状態であるか否かを判定する。これは、本実施形態では、表示部５の表示状態を設定するため、表示部５がＯＮ状態となっていることが前提となるためである。ステップＳ１は、ＹＥＳと判定するまで繰り返される。ＣＰＵ１３がステップＳ１でＹＥＳと判定したときは、ステップＳ２へ進む。ステップＳ２では、ＣＰＵ１３は、前回ポーリング動作が停止してから所定の時間が経過しているかを確認する。ステップＳ２でＹＥＳと判定したときは、ステップＳ３へ進み、ＲＦＩＤポーリングをＯＮとする。すなわち、ＲＦＩＤを検知するためのポーリング動作を開始する。
【００２４】
ステップＳ３に引き続いて行われるステップＳ４では、アンテナ切り替え部１１は、アンテナ接続先を第１端末側アンテナ７に切り替える。そして、ＣＰＵ１３は、第１端末側アンテナ７を用いたポーリング動作により、ペン２０が備えるタグ情報が検知されたか否かを判定する。なお、この段階では、第１タグ２１ａと第２タグ２２ａのいずれかが検知されたときは、ＹＥＳ判定となり、ステップＳ６へ進む。一方、いずれのタグ情報も検知されなかった場合は、ステップＳ１７へ進む。
【００２５】
ステップＳ５でＹＥＳと判定したときは、ＣＰＵ１３は、ステップＳ６へ進む。ステップＳ６では、ＣＰＵ１３は、ステップＳ５で検知したと判定したタグ情報が、第１タグ２１ａのものであるか否かを判定する。すなわち、ステップＳ６では、ＣＰＵ１３は、第１端末側アンテナ７がいずれの無線タグと通信しているかの通信状態を判定する。ステップＳ６でＹＥＳと判定したときは、ステップＳ７へ進む。ステップＳ７では、アンテナ切り替え部１１は、アンテナ接続先を第２端末側アンテナ８に切り替える。そして、ステップＳ８において、ＣＰＵ１３は、第２端末側アンテナ８を用いたポーリング動作により、第２タグ２２ａが検知されたか否かを判定する。すなわち、ステップＳ８では、ＣＰＵ１３は、第２端末側アンテナ８がいずれの無線タグと通信しているかの通信状態を判定する。ステップＳ８でＹＥＳと判定したときは、ＣＰＵ１３は、ステップＳ９へ進む。ステップＳ８でＹＥＳと判定したときの状態は、ペン２０の先端部２０ａがペン収納部９の奥側に位置し、第１端末側アンテナ７が第１タグ２１ａを検知し、第２端末側アンテナ８が第２タグ２２ａを検知した状態である。すなわち、ペン２０は、条件Ａの状態となっている。そこで、ステップＳ９では、ペン２０のペン収納部９への収納状態の判定に応じて、端末装置１の状態が設定される。すなわち、表示部５は、表示制御部１５により、条件Ａのときの表示モードである第１タッチ入力モードに切り替えられる。ステップＳ９に引き続いて行われるステップＳ１０では、ＣＰＵ１３は、ＲＦＩＤポーリングをＯＦＦにする。そして、ステップＳ１９へ進み、ＣＰＵ１３は、次回のポーリング動作までの時間を計測すべく、タイマーを作動させる。
【００２６】
一方、ステップＳ８でＮＯと判定したときは、ＣＰＵ１３は、ステップＳ１１へ進む。ステップＳ８でＮＯと判定したとき、ペン２０は、例えば、先端部２０ａが僅かにペン収納部９へ挿入されているのみであり、第１端末側アンテナ７が第１タグ２１ａを検知しているだけの状態となっている。すなわち、条件Ｄの状態となっている。そこで、ステップＳ１１では、ペン２０のペン収納部９への収納状態の判定に応じて、端末装置１の状態が設定される。すなわち、表示部５は、条件Ｄのときの表示内容である半挿しアラート表示を行う。ステップＳ１１を実行した後は、ＣＰＵ１３は、ステップＳ４からの処理を繰り返す。
【００２７】
ステップＳ６でＮＯと判定したときは、ＣＰＵ１３は、ステップＳ１２へ進む。ステップＳ１２では、アンテナ切り替え部１１は、アンテナ接続先を第２端末側アンテナ８に切り替える。そして、ステップＳ１３において、ＣＰＵ１３は、第２端末側アンテナ８を用いたポーリング動作により、第１タグ２１ａが検知されたか否かを判定する。すなわち、ステップＳ１３では、ＣＰＵ１３は、第２端末側アンテナ８がいずれの無線タグと通信しているかの通信状態を判定する。ステップＳ１３でＹＥＳと判定したときは、ＣＰＵ１３は、ステップＳ１４へ進む。ステップＳ１３でＹＥＳと判定したとき、ペン２０の先端部２０ａがペン収納部９の入口開口部９ａ側に位置し、第１端末側アンテナ７が第２タグ２２ａを検知し、第２端末側アンテナ８が第１タグ２１ａを検知した状態である。すなわち、端末装置１は、条件Ｂの状態となっている。そこで、ステップＳ１４では、ペン２０のペン収納部９への収納状態の判定に応じて、端末装置１の状態が設定される。すなわち、表示制御部１５は、表示部５を、条件Ｂのときの表示モードである第２タッチ入力モードに切り替える。ステップＳ１４に引き続いて行われるステップＳ１５では、ＣＰＵ１３は、ＲＦＩＤポーリングをＯＦＦにする。そして、ＣＰＵ１３は、ステップＳ１９へ進み、次回のポーリング動作までの時間を計測すべく、タイマーを作動させる。
【００２８】
一方、ステップＳ１３でＮＯと判定したときは、ＣＰＵ１３は、ステップＳ１６へ進む。ステップＳ１３でＮＯと判定したとき、ペン２０は、例えば、基端部２０ｂが僅かにペン収納部９へ挿入されているのみであり、第１端末側アンテナ７が第１タグ２１ａを検知しているだけの状態となっている。すなわち、端末装置１は、条件Ｅの状態となっている。そこで、ステップＳ１６では、ペン２０のペン収納部９への収納状態の判定に応じて、端末装置１の状態が設定される。すなわち、表示制御部１５は、表示部５に、条件Ｅのときの表示内容である半挿しアラート表示させる。ＣＰＵ１３は、ステップＳ１６を実行した後は、ステップＳ４からの処理を繰り返す。
【００２９】
ＣＰＵ１３が、ステップＳ５でＮＯと判定した場合、端末装置１は、いずれのタグ情報も検知されていない状態となっている。すなわち、端末装置１は、条件Ｃの状態となっている。そこで、ステップＳ１７では、ペン２０のペン収納部９への収納状態の判定に応じて、端末装置１の状態が設定される。すなわち、表示制御部１５は、表示部５を、ペン入力モードに切り替える。ペン２０がペン収納部９から抜き取られており、ペン２０を用いた入力が予想されるからである。ステップＳ１７に引き続いて行われるステップＳ１８では、ＣＰＵ１３は、ＲＦＩＤポーリングをＯＦＦにする。そして、ステップＳ１９へ進み、ＣＰＵ１３は、次回のポーリング動作までの時間を計測すべく、タイマーを作動させる。
【００３０】
このように、本実施形態の端末装置１によれば複数の端末側アンテナと複数の無線タグの通信状態の組み合わせにより、ペン２０のペン収納部９への収納状態を適切に判断することができる。また、判定可能な収納状態に応じて、端末装置１の状態を設定することができる。また、判定可能な収納状態の数に対応させて、設定可能な端末装置１の状態の数を設けることができる。また、本実施形態の端末装置１は、非接触でペン２０の収納状態と判断するため、押しボタン等の物理的なスイッチ構造が不要であるため、これに伴って、これらの構造を組み込む領域も不要となるため、装置を小型化し、あるいは、薄型化することができる。
【００３１】
なお、外ケース２０１と内ケース２０２は、ペン２０の先端側と後端側とで分離できるようにすることで、第１無線タグ３１や第２無線タグ２２を交換可能にすることができる。第１無線タグ３１や第２無線タグ２２には、それぞれ任意の情報を記録することができるので、別の無線タグに付け替えることで端末装置１が読み出し可能な情報を変更することができる。このため、必要に応じて無線タグの付け替えを行うことで、より多くの動作モードを選択できるようになる。
【００３２】
（第２実施形態）
つぎに、図７を参照し、第２実施形態について、説明する。図７（Ａ）は第２実施形態のペンの概略構成を模式的に示す説明図であり、図７（Ｂ）は図７（Ａ）におけるＢ−Ｂ線断面図である。第２実施形態が第１実施形態と異なるのは、ペンの構造である。以下、第２実施形態のペン３０について、説明する。
【００３３】
ペン３０は、円筒状の外ケース３０１と、この外ケース３０１内に収納された円筒状の内ケース３０２を備える。図７（Ｂ）を参照すると、第１無線タグ３１に含まれる第１タグ３１ａは、内ケース３０２の内部に設置されている。また、第１ペン側アンテナ３１ｂは、外ケース３０１と内ケース３０２との間に形成された空間内に設置されている。第２無線タグ３２に含まれる第２タグ３２ａと第２ペン側アンテナ３２ｂについても同様である。ただし、第１ペン側アンテナ３１ｂと第２ペン側アンテナ３２ｂはいずれも第１実施形態と異なりコイル形状を有している。このようなコイル形状の第１ペン側アンテナ３１ｂや第２ペン側アンテナ３２ｂには、主としてペン３０の軸方向に磁束が通過する。第１ペン側アンテナ３１ｂは、できるだけペン３０の先端部３０ａに近い位置に設けられている。また、第２ペン側アンテナ３２ｂは、できるだけペン３０の基端部３０ｂに近い位置に設けられている。すなわち、第１ペン側アンテナ３１ｂと第２ペン側アンテナ３２ｂを離して設置している。これにより、第１端末側アンテナ７が発生させる磁束ｍが第１無線タグ３１に影響を及ぼさず、第２端末側アンテナ８が発生させる磁束ｍが第２無線タグ３２に影響を及ぼさないようにすることができる。
【００３４】
このようなペン３０も第１実施形態のペン２０と同様に端末装置１に用いることができる。
【００３５】
（第３実施形態）
つぎに、第３実施形態につき、図８（Ａ）〜図９（Ｂ）を参照しつつ、説明する。図８（Ａ）は第３実施形態のペンの概略構成を模式的に示す説明図であり、図８（Ｂ）は図８（Ａ）におけるＣ−Ｃ線断面図である。図９（Ａ）は第３実施形態において端末側アンテナとＲＦＩＤが通信する様子を模式的に示す説明図であり、図９（Ｂ）はシールド部材の効果を模式的に示す説明図である。
【００３６】
第３実施形態のペン４０の主要な構成要素は、第２実施形態のペン３０と共通する。そこで、共通する構想要素については、図面中、同一の参照番号を付し、その詳細な説明は省略する。
【００３７】
第３実施形態のペン４０は、第１無線タグ３１と第２無線タグ３２との間にシールド部材３３を備えている。シールド部材３３は、金属製であり、第１無線タグ３１と第２無線タグ３２との間の搬送波の混線を抑制する。ここで、図９（Ｂ）を参照して、シールド部材３３の効果について説明する。第１端末側アンテナ７や第２端末側アンテナ８が生成させる磁束ｍに対し、シールド部材３３が干渉すると、干渉した箇所で渦電流が発生し、反磁界が生じる。この反磁界は搬送波の磁束ｍを打ち消す働きをする。このため、シールド部材３３は、シールド部材３３を隔てた側に位置する無線タグへの搬送波の到達を抑制することができる。これにより、より正確に、ペン４０のペン収納部９への収納状態を判定することができる。
【００３８】
（第４実施形態）
つぎに、第４実施形態につき、図１０（Ａ）、図１０（Ｂ）を参照しつつ、説明する。図１０（Ａ）は第４実施形態のペンの概略構成を模式的に示す説明図であり、図１０（Ｂ）は図１０（Ａ）におけるＤ−Ｄ線断面図である。
【００３９】
第４実施形態のペン５０の主要な構成要素は、第２実施形態のペン３０と共通する。そこで、共通する構想要素については、図面中、同一の参照番号を付し、その詳細な説明は省略する。
【００４０】
第４実施形態のペン５０は、第１無線タグ３１と第２無線タグ３２との間に第１シールド部材３４ａと、第２シールド部材３４ｂを備えている。第１シールド部材３４ａ及び第２シールド部材３４ｂは、いずれも金属製である。第３実施形態と異なり、いわば２つに分割された第１シールド部材３４ａ及び第２シールド部材３４ｂであっても、第３実施形態と同様に、第１無線タグ３１と第２無線タグ３２との間の搬送波の混線を抑制することができる。
【００４１】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００４２】
１  端末装置
２  筐体
５  表示部
６  タッチ操作部
７  第１端末側アンテナ
８  第２端末側アンテナ
９  ペン収納部
１１  アンテナ切り替え部
１２  無線制御部
１３  ＣＰＵ
１４  記憶部
１５  表示制御部
１６  タッチ操作制御部
２０、３０、４０、５０  ペン
２１、３１  第１無線タグ
２１ａ、３１ａ  第１タグ
２１ｂ、３１ｂ  第１ペン側アンテナ
２２、３２  第２無線タグ
２２ａ、３２ａ  第２タグ
２２ｂ、３２ｂ  第２ペン側アンテナ
３３  シールド部材
３４ａ  第１シールド部材
３４ｂ  第２シールド部材
【図１】
2018112844.tif 000003
【図２】
2018112844.tif 000004
【図３】
2018112844.tif 000005
【図４】
2018112844.tif 000006
【図５】
2018112844.tif 000007
【図６】
2018112844.tif 000008
【図７】
2018112844.tif 000009
【図８】
2018112844.tif 000010
【図９】
2018112844.tif 000011
【図１０】
2018112844.tif 000012